(57)【要約】      （修正有）【課題】水密効果がよく、組み立て式であり、体積を減少され、保管、運搬しやすく、注文の要求によって部材の設置を変更可能であるため、便利であるフラフープ装置を提供する。【解決手段】複数個の円弧形ユニット１０を備える。円弧形ユニット１０は、第一端部１１、第二端部１２、環状当接部１３、止水栓１４、および貯水空間１５を有する。第一端部１１は、開口部１１１および第一管壁１１２を有し、第一管壁１１２が通路１１３を形成し、第一管壁１１２に第一陥凹部１１４が設けられている。第二端部１２は、密閉端部１２１および第二管壁１２２を有し、密閉端部１２１が通路１１３に挿入するのに用いられており、第二管壁１２２に第二陥凹部１２３が設けられており、第二陥凹部１２３と第一陥凹部１１４とが相互に嵌合することによって、隣接する二つの円弧形ユニット１０が相互に連結されている。【選択図】図１
0003197070.tif 000002
【実用新案登録請求の範囲】
【請求項１】
複数個の円弧形ユニットを備え、
各前記円弧形ユニットは、第一端部、第二端部、環状当接部、止水栓、および貯水空間を有しており、
前記第一端部は、開口部および第一管壁を有し、前記第一管壁が通路を形成し、前記第一管壁に第一陥凹部が設けられており、
前記第二端部は、密閉端部および第二管壁を有し、前記密閉端部が前記通路に挿入するのに用いられており、前記第二管壁に第二陥凹部が設けられており、前記第二陥凹部と前記第一陥凹部とが相互に嵌合することによって、隣接する二つの前記円弧形ユニットが相互に連結されており、
前記環状当接部は、前記第一端部に隣接しており、前記第一管壁において内側に向いて環状に陥凹しており、漏れ防止内表面および少なくとも一つの環状当接面を有しており、
前記止水栓は、棒状部および蓋部を有し、前記棒状部が前記環状当接部に挿入可能であり、
前記蓋部がそのうち一つの環状当接面に当接可能であり、
前記貯水空間は、前記円弧形ユニットの内部に位置し、前記第一端部および前記第二端部を連通しており、
複数の前記円弧形ユニットは、前記開口部により前記貯水空間に液体が入れ込まれており、
前記止水栓は、前記環状当接部に挿入することによって前記開口部を閉塞しており、
互いに隣接する二つの前記円弧形ユニットは、前記第一端部および前記第二端部が相互嵌入することによって、前記止水栓が前記開口部から離脱することが抑制され、
複数の前記円弧形ユニットが順番に連結されており、液体が注入された円形組み立て式フラフープが形成されることを特徴とする組み立て式フラフープ装置。
【請求項２】
前記第二端部は、案内面を有し、前記案内面が前記第一陥凹部を前記第二陥凹部に嵌入するのに用いられることを特徴とする請求項１に記載の組み立て式フラフープ装置。
【請求項３】
前記案内面は斜面であることを特徴とする請求項２に記載の組み立て式フラフープ装置。
【請求項４】
前記第二端部は、内部空間を有し、
前記内部空間は、前記第二管壁内に位置し、前記貯水空間と連通しており、
前記貯水空間は、液体を貯蓄し、液体が前記内部空間へ流入可能であることを特徴とする請求項１に記載の組み立て式フラフープ装置。
【請求項５】
前記液体は水であることを特徴とする請求項４に記載の組み立て式フラフープ装置。
【請求項６】
前記止水栓は、押動凹部を有し、
前記押動凹部は、前記蓋部に位置し、前記棒状部を押動し、前記環状当接部に挿入するのに用いられることを特徴とする請求項１に記載の組み立て式フラフープ装置。
【請求項７】
前記押動凹部は六角形であることを特徴とする請求項６に記載の組み立て式フラフープ装置。
【請求項８】
前記止水栓は、一つの案内部をさらに有し、
前記案内部は、前記棒状部から延出されており、錘状を呈しており、前記棒状部が前記環状当接部内に挿入されるよう案内することを特徴とする請求項１に記載の組み立て式フラフープ装置。
【考案の詳細な説明】
【技術分野】
【０００１】
本考案は、組み立て式フラフープ装置に関し、詳しくは液体が収容されている組み立て式フラフープ装置関する。
【背景技術】
【０００２】
図６Ａ、図６Ｂ、図７Ａ、図７Ｂに示すように、従来の組み立て式フラフープは、複数個の円弧形ユニット２０（図は複数個のうちの一つを示し、その他の円弧形ユニットの構造は同様であるため、説明を省略する。）を含む。複数個の円弧形ユニット２０は、第一端部２１と第二端部２２とを有する。
第一端部２１は、開口部２１１および第一管壁２１２を有し、第一管壁２１２に第一陥凹部２１４を形成する。
【０００３】
第二端部２２は、密閉端部２２１および第二管壁２２２を有する。密閉端部２２１は、開口部２１１に挿入するのに用いる。第二管壁２２２は、第二陥凹部２２３を形成し、第一陥凹部２１４と相互に歯合することによって、隣接する二つの円弧形ユニット２０が相互に連結されている。
よって、複数個の円弧形ユニット２０を順番に繋ぎ合わせ、フラフープが形成される。
【０００４】
しかしながら、従来の組み立て式フラフープは、分解可能にかつ組み立て可能に形成されているが、低コストと快速な生産を求めているため、軽量のプラスチック製の中空パイプ構造であるので、フラフープが軽すぎてよい運動効果を果たすことができない問題がある。
上述の問題に鑑みて、従来のフラフープの問題を解決する技術の開発が必要となる。
【考案の概要】
【考案が解決しようとする課題】
【０００５】
本考案は、上述の問題に鑑みてなされたものであり、その目的は、水密効果がよく、組み立て式であり、体積を減少され、保管、運搬しやすく、注文の要求によって部材の設置を変更可能であるため、便利であるフラフープ装置を提供することにある。
【課題を解決するための手段】
【０００６】
本考案による組み立て式フラフープは、複数個の円弧形ユニットを備える。各円弧形ユニットは、第一端部、第二端部、環状当接部、止水栓、貯水空間を有する。
第一端部は、開口部および第一管壁を有する。第一管壁内には、通路を形成し、かつ第一管壁に第一陥凹部を形成する。
【０００７】
第二端部は、密閉端部および第二管壁を有する。密閉端部は通路に挿入するのに用いる。第二管壁に第二陥凹部が形成されており、第二陥凹部と第一陥凹部とが相互に嵌合することによって、隣接する二つの円弧形ユニットが連結される。
環状当接部は、第一端部を隣接し、第一管壁において内側に向いて環状に陥凹し、かつ漏れ防止内表面および少なくとも一つの環状当接面を有する。
【０００８】
止水栓は、棒状部および蓋部を有する。棒状部には、環状当接部の漏れ防止内表面に挿入することができる。蓋部はそのうち一つの環状当接面に当接することができる。
貯水空間は、円弧形ユニットの内部にある。並びに第一端部および第二端部を連通する。
【０００９】
よって、各円弧形ユニットは、開口部により貯水空間へ液体を入れるのに用いる。止水栓は、環状当接部に挿入し、開口部を閉塞する。隣接する二つの円弧形ユニットは、第一端部と第二端部とが相互に嵌合し、止水栓が開口部から離脱されないよう、抑制することにより、複数個の円弧形ユニットが順番に連結され、組み立て式フラフープが形成される。
本考案は、水密効果がよく、組み立て式のデザインであるため、体積を減少することができ、保管、運搬しやすく、注文の要求によって部材の設置を変更するのに便利であり、使用者の必要に応じて重さを調整することができる。
よって、従来の組み立て式フラフープにおいて、分解可能かつ組み立て可能に形成されているが、低コストと快速な生産を求めているため、軽量のプラスチック製の中空のパイプ構造であるので、フラフープが軽すぎて実際にはよい運動効果を果たすことができない問題を解決することができる。
【図面の簡単な説明】
【００１０】
【図１】本考案の一実施形態による組み立て式フラフープ装置を示す模式図である。
【図２】本考案の一実施形態による組み立て式フラフープ装置の一部を示す模式図である。
【図３】本考案の一実施形態による組み立て式フラフープ装置の組み立て過程を示す図である。
【図４Ａ】本考案の一実施形態による組み立て式フラフープ装置の一部分構造を示す斜視図である。
【図４Ｂ】本考案の一実施形態による組み立て式フラフープ装置の一部分構造を示す断面図である。
【図５Ａ】本考案の一実施形態による組み立て式フラフープ装置の一部分構造を示す断面図である。
【図５Ｂ】本考案の一実施形態による組み立て式フラフープ装置の一部分構造を示す立て後の状態を示す図である。
【図６Ａ】従来の接合式フラフープにおける接合装置を示す分斜視図である。
【図６Ｂ】従来の接合式フラフープにおける接合装置を示す断面図である。
【図７Ａ】従来の接合式フラフープにおける接合装置を接合した状態を示す図である。
【図７Ｂ】従来の接合式フラフープにおける接合装置を接合した状態を示す図である。
【考案を実施するための形態】
【００１１】
（一実施形態）
本考案の一実施形態による組み立て式フラフープ装置を図１および図２に示す。
それは、複数個の円弧形ユニット１０を含む。各円弧形ユニット１０は、第一端部１１、第二端部１２、環状当接部１３、止水栓１４および貯水空間１５を有する。
【００１２】
第一端部１１は、開口部１１１および第一管壁１１２を有する。第一管壁１１２内には、一つの通路１１３を形成し、且つ第一管壁１１２に第一陥凹部１１４を設ける。
【００１３】
第二端部１２は、密閉端部１２１および第二管壁１２２を有する。密閉端部１２１は通路１１３に挿入するのに用いる。第二管壁１２２に、第二陥凹部１２３を設け、第一陥凹部１１４と相互に嵌合し、隣接する二つの円弧形ユニット１０を相互に連結する。
【００１４】
環状当接部１３は、第一端部１１を隣接する。並びに第一管壁１１２に内方向に向いて環状に陥凹する状態を呈し、且つ漏れ防止内表面１３１および少なくとも一つの環状当接面１３２を有する。
【００１５】
止水栓１４は、棒状部１４１および蓋部１４２を有する。棒状部１４１は環状当接部１３の漏れ防止内表面１３１に挿入可能である。蓋部１４２は、そのうち一つの環状当接面１３２に当接可能である。
貯水空間１５は、円弧形ユニット１０の内部にあり、第一端部１１および第二端部１２を連通している。
【００１６】
よって、各円弧形ユニット１０は、開口部１１１により貯水空間１５へ液体９１を入れる。止水栓１４は、環状当接部１３に挿入することによって、開口部１１１が閉塞される。隣接する円弧形ユニット１０の第一端部１１と第二端部１２とが相互に嵌合することによって、止水栓１４が開口部１１１から離脱されないよう、抑制する。よって、複数個の円弧形ユニット１０が順番に連結され、液体９１が収容されている円形（図１に示すように、８個の円弧形ユニット１０を例にすると、その中の一つの円弧形ユニット１０の角度θは３６０／８＝４５度である）組み立て式フラフープ１００が形成される。
実務上、各円弧形ユニット１０の外表面は平坦な円弧面または凸凹な円弧面（図１）のどちらかである。
第二端部１２は場合によって案内面１２４および内部空間１２５をさらに有する。
案内面１２４は、斜面であってもよい。第一陥凹部１１４を導き、第二陥凹部１２３に相対的に係入する。
【００１７】
内部空間１２５は、第二管壁１２２の内部にあり、貯水空間１５を連通する。貯水空間１５に液体９１が貯蓄されたとき、液体９１は、内部空間１２５へ流れることができる。
止水栓１４は場合によって押動凹部１４３をさらに有する。
【００１８】
押動凹部１４３は、蓋部１４２に位置し、所定の工具（図示せず）を通して棒状部１４１を押動することによって、環状当接部１３に挿入する。押動凹部１４３は、内部が六角形であってもよい（図４Ａおよび図４Ｂ）。また、所定の工具に押されて動くのに便宜な形のうち一つであればよい。
案内部１４４は、棒状部１４１により延出し、錘状構造を呈し、棒状部１４１を環状当接部１３に挿入するのに用いる（図５Ａおよび図５Ｂ）。
【００１９】
当然ながら止水栓１４は挿入された後、慣用の適切な工具（図示せず）を蓋部１４２に挟んで取り出す方法により、止水栓１４を取り出すことができる。
液体９１は水または任意の液体である。
本考案の使用方法を以下に示す。
【００２０】
まず、開口部１１１により液体９１を貯水空間１５に入れる。その後、止水栓１４の棒状部１４１を環状当接部１３の漏れ防止内表面１３１に挿入する。挿入するとき、手工具（例えば六角スパナまたは六角スパナと同じ効果をもつ工具）により押動凹部１４３を押動することで、蓋部１４２がそのうち一つの環状当接面１３２に当接するまで棒状部１４１の挿入を押動する。
【００２１】
次に、隣接する二つの円弧形ユニット１０をそれと相応している第一端部１１および第二端部１２に相対的に嵌入することによって、止水栓１４が環状当接部１３から離脱されることをさらに防ぐことができることで、水密効果を高めることができる。これによって類推し、複数個の円弧形ユニット１０を順番に連結することによって、組み立て式フラフープ１００が形成される。
本考案のメリットおよび効果を以下に示す。
【００２２】
（１）水密効果がよい。本考案は、まず開口部に環状当接部を設置し、止水栓を挿入するのに用いる。また、隣接する二つの円弧形ユニットはそれと相応している第一端部および第二端部と相対的に嵌合するとき、止水栓がさらに塞がれることによって、止水栓が環状当接部から脱離（移動）されないよう、設置したので、水密効果が高い。
【００２３】
（２）組み立て式のデザインであるため、体積が減少され、保管および運搬に便利である。本考案は、複数個の円弧形ユニットが設けられ、円形組み立て式フラフープを形成する。組み立てる前の複数個の円弧形ユニットは、体積が減少され、保管および運搬に便利である。組み立てた後は、円形組み立て式フラフープとなり、運動を行うことができる。よって、組み立て式のデザインは、体積が減少され、保管および運搬に便利である。
【００２４】
（３）注文のニーズ変化により部材の設置が便利である。本考案は、出荷されたとき、注文のニーズに従い、各円弧形ユニットの内部に液体を入れるかまたは入れないかを選択することができる。液体を入れると使用者がすぐに使用できる。液体を入れないことによって重量を軽減することもできる。よって、注文のニーズによって部材の設置を変化するのに便利である。
【００２５】
（４）必要に応じて重量が調整可能である。本考案は、使用者のニーズにより、液体の注入量を選択することができる。たとえば液体を満タン状態に入れ、重すぎると感じられるときは、液体の量を減らすことができる。たとえば、水の量を全体の三分の二または二分の一にすることができる。受け入れられる程度によって徐々に減少することができる。よって、使用者のニーズに応じて重量調整が可能である。
【符号の説明】
【００２６】
１０，２０  円弧形ユニット
１００  円形組み立て式フラフープ
１１、２１  第一端部
１１１、２１１  開口部
１１２、２１２  第一管壁
１１３  通路
１１４、２１４  第一陥凹部
１２、２２  第二端部
１２１、２２１  密閉端部
１２２、２２２  第二管壁
１２３、２２３  第二陥凹部
１２４  案内面
１２５  内部空間
１３  環状当接部
１３１  漏れ防止内表面
１３２  環状当接面
１４  止水栓
１４１  棒状部
１４２  蓋部
１４３  推動凹部
１４４  案内部
１５  貯水空間
９１  液体
θ  角度
【図１】
0003197070.tif 000003
【図２】
0003197070.tif 000004
【図３】
0003197070.tif 000005
【図４Ａ】
0003197070.tif 000006
【図４Ｂ】
0003197070.tif 000007
【図５Ａ】
0003197070.tif 000008
【図５Ｂ】
0003197070.tif 000009
【図６Ａ】
0003197070.tif 000010
【図６Ｂ】
0003197070.tif 000011
【図７Ａ】
0003197070.tif 000012
【図７Ｂ】
0003197070.tif 000013